(57)【要約】  【課題】光源による照射方向を簡単に調整して照射範囲を変えることができると共にグレア感のない照射装置を提供する。  【解決手段】反射体１１と、該反射体１１に対向して配置されると共に一方向に沿って延びる線状光源を有してなる光源モジュール１２を備えた照明装置であって、反射体１１は、線状光源が対向する線状部分１５を境として互いに異なる方向を向く一対の反射面１６Ａ,１６Ｂを有し、光源モジュール１２は、直線状に配置されて線状光源を形成してなる複数の発光ダイオード１８と、この複数の発光ダイオード１８を反射体１１に対向する面に実装する基板１９を有し、かつ反射体１１を向く発光ダイオード１８の方向が所定の範囲で可変可能に構成した照明装置。【選択図】図２
2013168277.tif 000002
【特許請求の範囲】
【請求項１】
反射体と、該反射体に対向して配置されると共に一方向に沿って延びる線状光源を有してなる光源モジュールを備えた照明装置であって、
前記反射体は、前記線状光源が対向する線状部分を境として互いに異なる方向を向く一対の反射面を有し、
前記光源モジュールは、直線状に配置されて前記線状光源を形成してなる複数の発光ダイオードと、該複数の発光ダイオードを前記反射体に対向する面に実装する基板を有し、かつ前記反射体を向く発光ダイオードの方向が所定の範囲で可変可能に構成されていることを特徴とする照明装置。
【請求項２】
前記一対の反射面は、前記線状光源側から見た場合の中心角度が１８０度よりも大きくなるように配置されていることを特徴とする請求項１に記載の照明装置。
【請求項３】
前記一対の反射面は、平坦な面でそれぞれ構成されていることを特徴とする請求項１または請求項２に記載の照明装置。
【請求項４】
前記光源モジュールは、モータにより回転可能に構成されている請求項１から３のいずれかに記載の照明装置。
【請求項５】
前記モータはステッピングモータであり、該ステッピングモータで前記光源モジュールの回転及び回転後の保持を行うことを特徴とする請求項４に記載の照明装置。
【発明の詳細な説明】
【技術分野】
【０００１】
本発明は照明装置に関するものであり、特に、光源に発光ダイオードを使用した照明装置に関するものである。
【背景技術】
【０００２】
従来の室内照明装置は蛍光灯が使用されることが多かったが、近年では地球温暖化の原因とされる二酸化炭素(CO2)を削減する照明灯として、光源に発光ダイオード(以下、「LED; Light Emitting Diode」という)を使用したＬＥＤ照明灯の導入が増えている。しかしながら、ＬＥＤ照明灯は、点光源であることから、直接照射する照明方式(直下型)を採用した場合には、輝度の高い光源がツブツブに見え、また眩しく感じる、所謂「グレア感」が生じるという問題点がある。
【０００３】
また、蛍光灯、ＬＥＤ照明灯を使用した照明では、例えば室内でプロジェクター表示を行うようなとき、室内に複数配置されている照明灯の一部の電源を切り、投影される面を暗くして表示するようにしている。それでも室内が明る過ぎて表示状態が悪いときには、室内を真っ暗にする必要がある。
【０００４】
なお、ＬＥＤ照明灯を使用した照明装置において、断面三角形状をした基板の各面にＬＥＤをそれぞれ配置してなる回転可能なＬＥＤ照明ランプと一平面状の反射板とを組み合わせ、ＬＥＤ照明ランプを手動で回転させることにより、反射面に照射される光の入射角度を変更可能にして照射方向を可変調整できるようにしたＬＥＤ照明装置は、例えば特許文献１等で知られている。
【先行技術文献】
【特許文献】
【０００５】
【特許文献１】特開２０１１−１２４２２２号公報。
【発明の概要】
【発明が解決しようとする課題】
【０００６】
上記特許文献１記載のＬＥＤ照明装置は、手動でＬＥＤ照明ランプを回転させ、一平面状の反射板の反射面に照射される光の入射角度を変更する構造となっている。したがって、入射角度の変更は一平面である１８０度以内に限られるため、照射範囲を十分広く変えることができないという問題点があった。また、高い天井等に設置した場合には、背の高い踏み台等を使用してＬＥＤ照明ランプを回転操作することが必要で、面倒であるという問題点があった。
【０００７】
そこで、本発明は上記問題点に鑑みなされたものであり、光源による照射方向を簡単に調整して照射範囲を変えることができると共にグレア感のない照射装置を提供することを目的とする。
【課題を解決するための手段】
【０００８】
本発明は上記目的を達成するために提案されたものであり、本発明の照明装置は、反射体と、該反射体に対向して配置されると共に一方向に沿って延びる線状光源を有してなる光源モジュールを備えた照明装置であって、前記反射体は、前記線状光源が対向する線状部分を境として互いに異なる方向を向く一対の反射面を有し、前記光源モジュールは、直線状に配置されて前記線状光源を形成してなる複数の発光ダイオードと、該複数の発光ダイオードを前記反射体に対向する面に実装する基板を有し、かつ前記反射体を向く発光ダイオードの方向が所定の範囲で可変可能に構成したものである。
【０００９】
この構成によれば、前記線状光源が対向する線状部分を境として配置される一対の反射面の角度を、その線状部分を境として平面状から断面Ｖ字状に変更することができる。これにより、光源モジュールを回転した際の照射範囲を従来技術の一平面状の反射面の場合に比べて広く調整し、また最適な範囲だけを照射することができる。しかも、基板の反射体を向く面にのみ複数のＬＥＤを配置させ、反射面で反射された光を照射するようにしているので、グレア感が生じることもない。
【００１０】
また、前記一対の反射面は、前記線状光源側から見た場合の中心角度が１８０度よりも大きくなるように配置されている、構成が好ましい。
【００１１】
この構成によれば、１対の反射面の角度を１８０度を超えて調整することによって、照射範囲を従来技術よりも更に大きい範囲に亘って調整することができる。
【００１２】
また、前記一対の反射面は、平坦な面でそれぞれ構成されている、ことが好ましい。
【００１３】
この構成によれば、反射面を平坦な面でそれぞれ構成することにより、反射面で反射された光をそれぞれ決められた方向へ容易に反射させることができる。
【００１４】
また、前記光源モジュールは、モータにより回転転可能に構成されている、ことが好ましい。
【００１５】
この構成によれば、モータの駆動を遠隔制御することにより、光源モジュールと大きく離れた場所から該光源モジュールが向く方向を簡単に調整することができる。
【００１６】
また、前記モータはステッピングモータであり、該ステッピングモータで前記光源モジュールの回転及び回転後の保持を行う、ことが好ましい。
【００１７】
この構成によれば、光源モジュールが向く方向を、ステッピングモータを使用して微調整することができ、また調整後の保持をモータ等の回転負荷を利用して簡単に行うことができる。
【発明の効果】
【００１８】
本発明によれば、光源モジュールを回転した際の照射範囲を、従来技術の一平面状の反射面を使用した照明装置の場合に比べて広い範囲に渡って細かく、また簡単に調整して、最適な範囲だけを容易に照射することが可能になる。これにより、例えばプロジェクターのスクリーンを使用するようなとき、部屋の一部だけを暗くするようなことを、一つの照明装置で容易に実現できる。さらに、基板の反射体を向く面にのみ複数の発光ダイオードを配置させ、反射面で反射された光を照射するので、グレア感が生じることもなく、光源のブツブツ感や眩しさを無くして自然な光で照射することができる。
【図面の簡単な説明】
【００１９】
【図１】本発明に係る照明装置の一実施形態を示し、カバーの一部を切り欠いた状態で示す照明装置の側面図である。
【図２】(ａ)は図１に示すＡ−Ａ線の断面図、(ｂ)は照射範囲の変化を説明する模式図である。
【図３】同上実施形態における光源モジュールとその周辺構造を示す斜視図である。
【発明を実施するための最良の形態】
【００２０】
以下、添付図面を参照して、本発明を実施するための形態(以下、「実施形態」という)について詳細に説明する。
【００２１】
図１及び図２は本発明に係る照明装置を示すもので、図１はカバーの一部を切り欠いた状態で示す側面図、図２の(ａ)は図１に示すＡ−Ａ線の断面図、図２の(ｂ)はその照明装置における照射範囲の説明図である。
【００２２】
図１及び図２において、照明装置１０は、反射体１１と、反射体１１に対向して配置された光源モジュール１２と、反射体１１の反射面と光源モジュール１２を覆って配置されたカバー１３と、反射体１１と光源モジュール１２及びカバー１３の両端をそれぞれ支えて一体化する１対の端板１４Ａ,１４Ｂ等により構成されている。
【００２３】
前記反射体１１は、断面略五角形の細長い柱状をした樹脂製の部材であり、その頂辺１５(以下「線状部分１５」という)を光源モジュール１２に対向させて、光源モジュール１２の前面に配置されている。そして、線状部分１５を境としてその左右両側には、それぞれ均一平坦面で形成してなる平面１６Ａ,１６Ｂが設けられている。その１対の平面１６Ａ,１６Ｂは、光源モジュール１２側から見たときの中心角度が１８０度よりも大きく、そして互いに外側方向を向いて傾斜した状態にして配置されている。また、１対の平面１６Ａ,１６Ｂの外表面には白色塗料が各々塗布され、その白色塗料を塗布した平面１６Ａ,１６Ｂを光源モジュール１２からの照射光を反射させる反射面として使用する。したがって、以下の説明では、平面１６Ａ,１６Ｂをそれぞれ反射面１６Ａ,反射面１６Ｂとして説明する。
【００２４】
なお、この反射体１１は、１対の反射面１６Ａ,１６Ｂを有するものであれば、断面五角形でなくても例えば三角形であっても良く、また線上部分１５を境としてその左右両側に拡げられた二枚の平板であっても良い。さらに、反射体１１自体を光が反射し易い白色体とすれば、反射面１６Ａ,１６Ｂに塗布する白色塗料を省略することも可能である。
【００２５】
前記光源モジュール１２は、複数個のＬＥＤ１８と、この複数個のＬＥＤ１８を線状部分１５に合わせて直線状に配列した状態で実装してなる基板１９と、この基板１９の一端側と端板１４Ａの間に介装されたモータ２０と、基板１９の他端側と端板１４Ｂの間に介装されたホルダー２１等により構成されている。なお、図３には光源モジュール１２において、前記基板１９の一端側の一部が、端板１４Ａに取り付けたモータ２０の回転出力軸２０ａに固定されて、回転出力軸２０ａと基板１９が一体に回転する構成を示している。
【００２６】
前記モータ２０はステッピングモータであり、図示せぬモータ駆動制御回路を介してステップ回転する。また、その回転は必要に応じて減速機構を介して出力され、さらに停止時にはその減速機構の回転負荷とモータの回転負荷とにより停止位置を保持し、同時に回転調整後における基板１９の停止位置を保持する。
【００２７】
前記ホルダー２１は端板１４Ｂの内面に固定された軸受部材であり、基板１９の他端部を回転可能に支持している。したがって、基板１９の両端はそれぞれモータ２０の回転出力軸２０ａとホルダー２１で安定的に回転保持される。なお、図示しないが基板１９と端板１４Ａの間には、外部電源からの電流を基板１９に供給して各ＬＥＤ１８をそれぞれ発光させるためのロータリ接点機構等が設けられている。
【００２８】
前記カバー１４は、樹脂材で断面湾曲形の樋状に形成されている。そのカバー１４は、反射体１１の反射面１６Ａ,１６Ｂと光源モジュール１２の外側全体を覆って配置されるものである。したがって、カバー１４は、光源モジュール１２から直接向かって来る光及び反射体１１の反射面１６Ａ,１６Ｂで反射されて来る光をそれぞれ透過できるように光透過性を有している。また、必要により、カバー１４の表面にはダイヤカット形状等を設けて光拡散性が施される。そのカバー１４の頂点外側には、板状をしたモール部材２２が左右両側に渡って取り付けられており、そのモール部材２２の両端を左右の端板１４Ａ,１４Ｂにそれぞれ着脱可能に取り付けることにより、該カバー１４が反射体１１に取り付けられて反射体１１と一体化される。
【００２９】
次に、本発明に係る照明装置１０の作用を、照明を必要とする室内の天井に設置した場合として説明する。この照明装置１０は、例えば端板１４Ａ,１４Ｂを室内の天井に固定することにより取り付けられる。
【００３０】
そして、照明装置１０は、通常、光源モジュール１２の基板１９を図２の(ａ)中の符号「Ｎ」で示す位置に配置させてモータ２０を停止させている。この符号「Ｎ」で示す位置に基板１９が配置されているとき、その基板１９に実装された複数個のＬＥＤ１８の各略中心は、それぞれ反射体１１の線状部分１５と真対向配置された状態にある。また、そのモータ２０の停止位置は、モータ２０の回転負荷及び減速機構等の回転負荷によって保持されている。
【００３１】
基板１９が符号「Ｎ」で示す位置に配置されているとき、各ＬＥＤ１８がそれぞれ点灯されると、各ＬＥＤ１８から発せられた光は主として線状部分１５を挟んで左右均等に入射、すなわち１対の反射面１６Ａ,１６Ｂに対して略均等に入射する。また、入射した光はそれぞれ反射面１６Ａ,１６Ｂで反射され、その光がカバー１３を透過して室内を照射する。この時の左右方向における照射範囲を模式的に示すと、図２の(ｂ)に実線で示す(ＮＲ)-(ＮＬ)の範囲となり、(ＮＲ)-(ＮＬ)間に渡ってほぼ均等に照射される。
【００３２】
この状態において、モータ２０を駆動し、基板１９を図２の(ａ)中の符号「Ｎ」で示す位置から符号「Ｒ」で示す位置に向けて回転させると、各ＬＥＤ１８の向きが徐々に反射面１６Ａ側を向くように調整される。そして、基板１９の回転に伴って、各ＬＥＤ１８から発せられた光は反射面１６Ｂ側に向かう光よりも反射面１６Ａ側に向かう光の方が多い配光となり、左右方向における照射範囲が、図２の(ｂ)において徐々に右側へ移動しながら変化し、最終的には一点鎖線で模式的に示す(ＲＲ)-(ＲＬ)の範囲を照射する。また、所望する照射状態が得られたら、モータ２０を停止させると、基板１９はその位置で停止し、その位置がモータ２０の回転負荷及び減速機構等の回転負荷によって保持される。その照射範囲(ＲＲ)-(ＲＬ)では、(ＲＬ)側よりも(ＲＲ)側の方が明るくなる。
【００３３】
次に、基板１９が図２の(ａ)中の符号「Ｎ」で示す位置または符号「Ｒ」で示す位置側にある状態でモータ２０を駆動し、基板１９を図２の(ａ)中の符号「Ｌ」で示す位置に向けて回転させると、各ＬＥＤ１８の向きが徐々に反射面１６Ｂ側を向くように調整される。そして、基板１９が符号「Ｎ」で示す位置を通過して符号「Ｌ」で示す位置側に回転すると、各ＬＥＤ１８から発せられた光は反射面１６Ａ側に向かう光よりも反射面１６Ｂ側に向かう光の方が多い配光となり、左右方向における照射範囲が、図２の(ｂ)において徐々に左側へ移動しながら変化し、最終的には一点鎖線で模式的に示す(ＬＲ)-(ＬＬ)の範囲を照射する。また、所望する照射状態が得られたら、モータ２０を停止させると、基板１９はその位置で停止し、その位置がモータ２０の回転負荷及び減速機構等の回転負荷によって保持される。その照射範囲(ＬＲ)-(ＬＬ) では、(ＬＲ)側よりも((ＬＬ)側の方が明るくなる。
【００３４】
なお、基板１９の回転は、任意な位置で停止させても良く、あるいは１０度、２０度、３０度と、各所定の角度まで回転する毎に一度停止させるようにしても良い。
【００３５】
したがって、このように構成された照明装置１０では、前記線状光源が対向する線状部分を境として配置される一対の反射面１６Ａ,１６Ｂを、その線状部分１５を境として互いに異なる方向を向く断面Ｖ字状に配置しているので、光源モジュールを回転した際の照射範囲を従来技術の一平面状の反射面の場合に比べて広く調整し、また最適な範囲だけを照射することができる。これにより、例えばプロジェクターのスクリーンを使用するようなとき、部屋の一部だけを暗くするようなことを一つの照明装置１０で容易に実現することができる。
【００３６】
また、光源モジュール１２の複数のＬＥＤ１８は、基板１９の反射体１１を向く面にのみ配置しており、そして各ＬＥＤ１８の光は一度、反射体１１の反射面１６Ａ,１６Ｂに当てられて反射するようにしているので、グレア感が生じることもなく、優しい自然な発光感が得られることになる。
【００３７】
さらに、ステッピングモータ２０の回転を駆動力として基板１９を回転調整するようにしているので、遠隔操作が可能であるとともに微調整も可能で、また調整後における基板１９の保持をモータ２０の回転負荷や減速機構の負荷等で簡単に行うことができる。
【００３８】
なお、上記実施形態では、一対の反射面１６Ａ,１６Ｂを、その互いの反射面の角度が１８０度よりも大きくなるように配置し、線状部分１５を境として反射面が互いに異なる外側方向を向くように断面Ｖ字形に配置した構造を一例として説明した。しかし、反射面が互いに内側方向を向く１８０度よりも小さな断面Ｖ字形に配置して、光源モジュール１２を回転させる構造にすることも可能である。
【００３９】
また、反射面１６Ａ,１６Ｂを平坦な面でなく、曲面とすることも可能である。
【００４０】
さらに、一対の反射面１６Ａ,１６Ｂの傾斜角度（図２の（ａ）において、基板１９が符号「Ｎ」で示す位置に配置された状態で、各反射面１６Ａ,１６Ｂが基板１９の反射体１１を向く面に平行な仮想平面に対する傾斜角度）は、必ずしも同一である必要はない。例えば、プロジェクターのスクリーンが設置された部屋では、スクリーン側に位置する反射面１６Ａ（または１６Ｂ）の傾斜角度を０（ゼロ）度とし、スクリーン側とは反対側に位置する反射面１６Ｂ（または１６Ａ）の傾斜角度を０（ゼロ）度よりも大きくしてもよい。
【００４１】
また、上記実施形態では、照明装置１０を室内天井に設置する場合について説明したが、壁面、あるいは床面やテーブルの上に設置することも可能である。その場合、モール部材２２を壁面あるいは床面またはテーブル上に設置する際の取付用土台として使用しても良い。
【００４２】
したがって、本発明の目的を達成できる範囲での変形、改良等も本発明に含まれるものである。
【符号の説明】
【００４３】
１０      照明装置
１１      反射体
１２      光源モジュール
１３      カバー
１４Ａ,１４Ｂ    端板
１５      頂辺(線状部分)
１６Ａ,１６Ｂ  反射面
１７      白色塗料
１８      ＬＥＤ(発光ダイオード)
１９      基板
２０      モータ
２０ａ    回転出力軸
２１      ホルダー
２２      モール部材
【図１】
2013168277.tif 000003
【図２】
2013168277.tif 000004
【図３】
2013168277.tif 000005
【手続補正書】
【提出日】平成24年3月8日(2012.3.8)
【手続補正１】
【補正対象書類名】明細書
【補正対象項目名】００１１
【補正方法】変更
【補正の内容】
【００１１】
この構成によれば、一対の反射面の角度を１８０度を超えて調整することによって、照射範囲を従来技術よりも更に大きい範囲に亘って調整することができる。
【手続補正２】
【補正対象書類名】明細書
【補正対象項目名】００１４
【補正方法】変更
【補正の内容】
【００１４】
また、前記光源モジュールは、モータにより回転可能に構成されている、ことが好ましい。
【手続補正３】
【補正対象書類名】明細書
【補正対象項目名】００２２
【補正方法】変更
【補正の内容】
【００２２】
図１及び図２において、照明装置１０は、反射体１１と、反射体１１に対向して配置された光源モジュール１２と、反射体１１の反射面と光源モジュール１２を覆って配置されたカバー１３と、反射体１１と光源モジュール１２及びカバー１３の両端をそれぞれ支えて一体化する一対の端板１４Ａ,１４Ｂ等により構成されている。
【手続補正４】
【補正対象書類名】明細書
【補正対象項目名】００２３
【補正方法】変更
【補正の内容】
【００２３】
前記反射体１１は、断面略五角形の細長い柱状をした樹脂製の部材であり、その頂辺１５(以下「線状部分１５」という)を光源モジュール１２に対向させて、光源モジュール１２の前面に配置されている。そして、線状部分１５を境としてその左右両側には、それぞれ均一平坦面で形成してなる平面１６Ａ,１６Ｂが設けられている。その一対の平面１６Ａ,１６Ｂは、光源モジュール１２側から見たときの中心角度が１８０度よりも大きく、そして互いに外側方向を向いて傾斜した状態にして配置されている。また、一対の平面１６Ａ,１６Ｂの外表面には白色塗料が各々塗布され、その白色塗料を塗布した平面１６Ａ,１６Ｂを光源モジュール１２からの照射光を反射させる反射面として使用する。したがって、以下の説明では、平面１６Ａ,１６Ｂをそれぞれ反射面１６Ａ,反射面１６Ｂとして説明する。
【手続補正５】
【補正対象書類名】明細書
【補正対象項目名】００２４
【補正方法】変更
【補正の内容】
【００２４】
なお、この反射体１１は、一対の反射面１６Ａ,１６Ｂを有するものであれば、断面五角形でなくても例えば三角形であっても良く、また線上部分１５を境としてその左右両側に拡げられた二枚の平板であっても良い。さらに、反射体１１自体を光が反射し易い白色体とすれば、反射面１６Ａ,１６Ｂに塗布する白色塗料を省略することも可能である。
【手続補正６】
【補正対象書類名】明細書
【補正対象項目名】００２８
【補正方法】変更
【補正の内容】
【００２８】
前記カバー１３は、樹脂材で断面湾曲形の樋状に形成されている。そのカバー１３は、反射体１１の反射面１６Ａ,１６Ｂと光源モジュール１２の外側全体を覆って配置されるものである。したがって、カバー１３は、光源モジュール１２から直接向かって来る光及び反射体１１の反射面１６Ａ,１６Ｂで反射されて来る光をそれぞれ透過できるように光透過性を有している。また、必要により、カバー１３の表面にはダイヤカット形状等を設けて光拡散性が施される。そのカバー１３の頂点外側には、板状をしたモール部材２２が左右両側に渡って取り付けられており、そのモール部材２２の両端を左右の端板１４Ａ,１４Ｂにそれぞれ着脱可能に取り付けることにより、該カバー１３が反射体１１に取り付けられて反射体１１と一体化される。
【手続補正７】
【補正対象書類名】明細書
【補正対象項目名】００３１
【補正方法】変更
【補正の内容】
【００３１】
基板１９が符号「Ｎ」で示す位置に配置されているとき、各ＬＥＤ１８がそれぞれ点灯されると、各ＬＥＤ１８から発せられた光は主として線状部分１５を挟んで左右均等に入射、すなわち一対の反射面１６Ａ,１６Ｂに対して略均等に入射する。また、入射した光はそれぞれ反射面１６Ａ,１６Ｂで反射され、その光がカバー１３を透過して室内を照射する。この時の左右方向における照射範囲を模式的に示すと、図２の(ｂ)に実線で示す(ＮＲ)-(ＮＬ)の範囲となり、(ＮＲ)-(ＮＬ)間に渡ってほぼ均等に照射される。
【手続補正８】
【補正対象書類名】図面
【補正対象項目名】図１
【補正方法】変更
【補正の内容】
【図１】
2013168277.tif 000006